(57)【要約】【課題】センサ基板の縁に掛けてランドへ引き回される巻線が動くことを抑制すること。【解決手段】モータ１は、磁力によってロータ３を非接触で支持する磁気軸受４を備える。磁気軸受４は、ステータ２の出力側Ｌ１に配置される電磁石ユニット２０Ａ、および、反出力側Ｌ２に配置される電磁石ユニット２０Ｂを備える。電磁石ユニット２０Ａ、２０Ｂのセンサ５０は、センサコア５１と、コイルボビン５３を介してセンサコア５１に巻かれたセンサコイル５４と、センサコイル５４から引き出された巻線５４１が半田付けされるセンサ基板５５と、を有しており、巻線５４１は、センサ基板５５の端部５５４に設けられた巻線保持部５８を経由してセンサ基板５５のランドへ引き回される。巻線保持部５８は、センサ基板５５の端面５５５に設けられた溝である。【選択図】図１１
2020028167.tif 000002
【特許請求の範囲】
【請求項１】
センサコアと、
前記センサコアに巻かれたセンサコイルと、
前記センサコイルから引き出された巻線が半田付けされるセンサ基板と、を有し、
前記巻線は、前記センサ基板の端部に設けられた巻線保持部を経由して前記センサ基板のランドへ延びていることを特徴とするセンサ。
【請求項２】
前記巻線保持部は、前記センサ基板の端面に設けられた溝であることを特徴とする請求項１に記載のセンサ。
【請求項３】
前記センサコイルは、コイルボビンを介して前記センサコアに巻かれており、
前記センサ基板は、前記コイルボビンに固定され、
前記コイルボビンは、前記センサ基板に形成された基板側位置規制部を介して前記センサ基板の移動を規制するボビン側位置規制部を備えることを特徴とする請求項１または２に記載のセンサ。
【請求項４】
前記コイルボビンは、前記センサコイルが巻かれる胴部と、前記胴部の端部に設けられたフランジとを備え、
前記フランジは、前記胴部とは反対側へ引き出される前記巻線が配置される巻線引き出し部を備えることを特徴とする請求項３に記載のセンサ。
【請求項５】
前記ボビン側位置規制部は、前記フランジに対して前記胴部とは反対側に配置され、
前記ボビン側位置規制部と前記フランジは繋ぎ部を介して繋がっており、
前記センサ基板は、前記ボビン側位置規制部と前記フランジとの間に配置される接着剤を介して前記コイルボビンに固定されることを特徴とする請求項４に記載のセンサ。
【請求項６】
前記基板側位置規制部は、前記センサ基板の端部を切り欠いた凹部であり、
前記ボビン側位置規制部は、前記センサ基板の側へ突出する壁部であり、
前記フランジの前記センサ基板側の端部は、前記ボビン側位置規制部のセンサ基板側の端部より低い位置にあることを特徴とする請求項５に記載のセンサ。
【請求項７】
前記巻線引き出し部は、前記壁部の幅方向の両側に設けられ、
前記巻線保持部は、前記凹部の幅方向の両側に設けられていることを特徴とする請求項６に記載のセンサ。
【請求項８】
前記センサ基板は円環状であり、
前記基板側位置規制部は、前記センサ基板の外周縁に設けられ、
前記基板側位置規制部と前記ボビン側位置規制部によって、前記コイルボビンに対する前記センサ基板の周方向の相対移動が規制されることを特徴とする請求項３から７の何れか一項に記載のセンサ。
【請求項９】
磁力によってロータを非接触で支持する電磁石と、
前記ロータの位置を検出する請求項１から８の何れか一項に記載のセンサと、を有することを特徴とする電磁石ユニット。
【請求項１０】
ケースと、前記ケースの内部に配置される回転翼および固定翼と、前記回転翼を回転させるモータと、を有し、
前記モータは、ロータおよびステータと、前記ロータを支持する磁気軸受と、を備え、
前記磁気軸受は、請求項９に記載の電磁石ユニットを備えることを特徴とする真空ポン
プ。
【発明の詳細な説明】
【技術分野】
【０００１】
本発明は、センサ、電磁石ユニットおよび電磁石ユニットを備えた真空ポンプに関する。
【背景技術】
【０００２】
特許文献１には、回転翼をモータによって回転させる真空ポンプが開示される。特許文献１の真空ポンプにおいて、モータは、ロータシャフトを磁力によって非接触で支持する磁気軸受を備える。磁気軸受は、ロータの外周側に配置される環状のコアと、コアから内周側に突出する突極にコイルを巻回した磁極を周方向に複数配置した電磁石と、軸線方向と直交する方向のロータの変位を検出するラジアルセンサを備える。ラジアルセンサは、周方向に配列した２組のセンサコイルに流れる電流の差からロータの変位を検出する。
【先行技術文献】
【特許文献】
【０００３】
【特許文献１】特開２０１７−２０５２０号公報
【発明の概要】
【発明が解決しようとする課題】
【０００４】
センサコイルの巻線は、センサ基板へ引き回されてセンサ基板のランドに半田付けされる。軸線方向から見てセンサコイルと重なるようにセンサ基板を配置した場合、巻線は、コイルからセンサ基板の外周側へ引き出され、センサ基板の縁に掛けてランドへ引き回される。このように巻線を引き回した場合に、巻線を掛ける位置がセンサコイルやランドに対してずれていると、半田付け時に巻線が動くおそれがあるため、巻線の半田付けの作業性が低下するおそれがある。
【０００５】
以上の問題点に鑑みて、本発明の課題は、センサ基板の縁に掛けてランドへ引き回される巻線が動くことを抑制することにある。
【課題を解決するための手段】
【０００６】
上記課題を解決するために、本発明のセンサは、センサコアと、前記センサコアに巻かれたセンサコイルと、前記センサコイルから引き出された巻線が半田付けされるセンサ基板と、を有し、前記巻線は、前記センサ基板の端部に設けられた巻線保持部を経由して前記センサ基板のランドへ延びていることを特徴とする。
【０００７】
本発明のセンサは、センサ基板の端部に巻線保持部が設けられているので、センサ基板の端部を経由してランドへ引き回した巻線がセンサ基板の端部に沿って移動することを抑制できる。これにより、半田付け時に巻線が動くことを抑制でき、半田付けの作業性が低下することを抑制できる。
【０００８】
本発明において、前記巻線保持部は、前記センサ基板の端面に設けられた溝であることが好ましい。このようにすると、巻線をランドの側へ引き回す際に、溝の位置に巻線を掛けるだけで容易に巻線を保持させることができる。
【０００９】
本発明において、前記センサコイルは、コイルボビンを介して前記センサコアに巻かれており、前記センサ基板は、前記コイルボビンに固定され、前記コイルボビンは、前記センサ基板に形成された基板側位置規制部を介して前記センサ基板の移動を規制するボビン側位置規制部を備えることが好ましい。このようにすると、センサコイルに対するセンサ
基板の相対移動を規制できる。従って、巻線が動くことを抑制できるので、巻線の損傷を抑制できる。また、コイルボビンに対してセンサ基板を固定するので、センサ基板の固定用の部材を別途設ける必要がない。従って、部品点数の増加を抑制できる。
【００１０】
本発明において、前記コイルボビンは、前記センサコイルが巻かれる胴部と、前記胴部の端部に設けられたフランジとを備え、前記フランジは、前記胴部とは反対側へ引き出される前記巻線が配置される巻線引き出し部を備えることが好ましい。このようにすると、センサコイルと巻線保持部との間において、巻線引き出し部によって巻線を保持できる。従って、巻線保持部から巻線が外れるおそれが少ないので、巻線の損傷を抑制できる。
【００１１】
本発明において、前記ボビン側位置規制部は、前記フランジに対して前記胴部とは反対側に配置され、前記ボビン側位置規制部と前記フランジは繋ぎ部を介して繋がっており、前記センサ基板は、前記ボビン側位置規制部と前記フランジとの間に配置される接着剤を介して前記コイルボビンに固定されることが好ましい。このようにすると、ボビン側位置規制部および繋ぎ部によって接着剤の流出を規制できるので、センサ基板の固定強度を向上させることができる。
【００１２】
本発明において、前記基板側位置規制部は、前記センサ基板の端部を切り欠いた凹部であり、前記ボビン側位置規制部は、前記センサ基板の側へ突出する壁部であり、前記フランジの前記センサ基板側の端部は、前記ボビン側位置規制部のセンサ基板側の端部より低い位置にあることが好ましい。このようにすると、凹部と壁部とを嵌合させてセンサ基板の移動を規制し、且つ、フランジとセンサ基板とを当接させてセンサ基板の位置決めを行うことができる。
【００１３】
本発明において、前記巻線引き出し部は、前記壁部の幅方向の両側に設けられ、前記巻線保持部は、前記凹部の幅方向の両側に設けられていることが好ましい。このようにすると、壁部（ボビン側位置規制部）の両側に巻き始め用の巻線と巻き終り用の巻線を引き出すことができる。また、各巻線の引き出し位置の近傍に巻線保持部を設けることができる。従って、巻線を引き回す長さを短くすることができ、巻線が移動するおそれを少なくすることができる。
【００１４】
本発明において、前記センサ基板が円環状である場合には、前記基板側位置規制部は、前記センサ基板の外周縁に設けられ、前記基板側位置規制部と前記ボビン側位置規制部によって、前記コイルボビンに対する前記センサ基板の周方向の相対移動が規制される。このようにすると、センサ基板の外周縁に巻線を掛けて内周側のランドまで引き回す際に、センサ基板の外周縁に沿って巻線が移動するおそれを少なくすることができる。
【００１５】
次に、本発明の電磁石ユニットは、磁力によってロータを非接触で支持する電磁石と、前記ロータの位置を検出する上記のセンサと、を有することを特徴とする。
【００１６】
次に、本発明のポンプ装置は、ケースと、前記ケースの内部に配置される回転翼および固定翼と、前記回転翼を回転させるモータと、を有し、前記モータは、ロータおよびステータと、前記ロータを支持する磁気軸受と、を備え、前記磁気軸受は、上記の電磁石ユニットを備えることを特徴とする。
【発明の効果】
【００１７】
本発明によれば、センサ基板の端部に巻線保持部が設けられているので、センサ基板の端部を経由してランドへ引き回した巻線がセンサ基板の端部に沿って動くことを抑制できる。これにより、半田付け時に巻線が動くことを抑制でき、巻線の半田付けの作業性が低下することを抑制できる。
【図面の簡単な説明】
【００１８】
【図１】本発明を適用した真空ポンプの断面図である。
【図２】ステータおよび電磁石ユニットの側面図である。
【図３】電磁石ユニットの分解斜視図である。
【図４】電磁石と磁気シールドの分解斜視図である。
【図５】電磁石と磁気シールドの部分断面図である。
【図６】コイルボビンの斜視図である。
【図７】コイルボビンの斜視図である。
【図８】センサの分解斜視図である。
【図９】センサ基板の側から見たセンサの平面図である。
【図１０】センサの部分拡大図である。
【図１１】コイルボビンを取り付けたセンサコアの部分拡大図である。
【図１２】磁気シールドの配置を示す説明図である。
【発明を実施するための形態】
【００１９】
以下、図面を参照して、本発明を適用したセンサを備えた真空ポンプの実施形態を説明する。本明細書において、モータの軸線方向Ｌの一方側を出力側Ｌ１とし、軸線方向Ｌの他方側を反出力側Ｌ２とする。
【００２０】
（真空ポンプの全体構成）
図１は本発明を適用した真空ポンプ１００の断面図である。真空ポンプ１００は、ケース１０と、ケース１０内に配置された回転翼１１および固定翼１２と、回転翼１１を回転させるモータ１を備える。モータ１は、ケース１０に固定されるステータ２と、ステータ２の径方向の中心に配置されるロータ３と、ロータ３を非接触で支持する磁気軸受４を備える。ステータ２および磁気軸受４は、筒状のステータケース１３の内周面に固定され、ステータケース１３を介してケース１０に固定される。ロータ３は軸線方向Ｌに延在し、ステータケース１３から出力側Ｌ１に突出する出力軸３１を備える。回転翼１１は、ロータフランジ５を介して出力軸３１に固定される。回転翼１１と固定翼１２は、軸線方向Ｌに沿って交互に配置される。
【００２１】
ケース１０は、ステータケース１３に反出力側Ｌ２から当接するベース１４と、軸線方向Ｌに延在する筒状ケース１５を備える。ベース１４は、筒状ケース１５の反出力側Ｌ２の端部に固定される。ステータケース１３は、筒状ケース１５の内周側に配置され、ボルトによってベース１４に固定される。筒状ケース１５の出力側Ｌ１の端部には吸気口１６が形成されている。筒状ケース１５とベース１４との間には、排気口形成部１７が取り付けられている。ケース１０は、排気口形成部１７を貫通する排気口１８を介して図示しない補助ポンプに連通する。真空ポンプ１００は、モータ１によって回転翼１１を回転させ、吸気口１６から吸入された気体を軸線方向Ｌに移送して排気口１８から排出する。
【００２２】
ステータ２は、ロータ３の軸線方向Ｌの略中央に配置される。磁気軸受４は、ステータ２の出力側Ｌ１および反出力側Ｌ２の２箇所において軸線方向Ｌと直交する方向でロータ３を支持する２組の電磁石ユニット２０Ａ、２０Ｂと、ロータ３の反出力側Ｌ２においてロータ３の軸線方向Ｌの位置を検出する軸方向センサ２１と、軸方向センサ２１の出力に基づいて励磁されロータ３を軸線方向Ｌに浮いた状態で支持する２組の電磁石２２を備える。電磁石ユニット２０Ａ、２０Ｂおよび電磁石２２は、ステータケース１３の内周面に固定される。
【００２３】
２組の電磁石２２は、ロータ３の反出力側Ｌ２の端部に固定される金属板３２を軸線方向Ｌに挟んで配置される。２組の電磁石２２は、それぞれ、コイル２３を備えており、コ
イル２３への通電によって発生する磁力により、金属板３２を出力側Ｌ１および反出力側Ｌ２へ吸引する。軸方向センサ２１の出力は図示しない制御装置へ送信される。制御装置は、ロータ３の軸線方向Ｌの変位に基づいて電磁石２２のコイル２３に通電し、ロータ３の軸線方向Ｌの位置を調節する。
【００２４】
図２はステータ２および電磁石ユニット２０Ａ、２０Ｂの側面図である。本形態において、ステータ２および電磁石ユニット２０Ａ、２０Ｂは、ロータ３を回転させるステータユニット２Ａを構成する。すなわち、図２はステータユニット２Ａの側面図である。図１、図２に示すように、ステータ２は、環状のステータコア２４と、ステータコア２４の突極２５に取り付けられるコイルボビン２６と、コイルボビン２６を介して突極２５に巻かれたコイル２７を備える。なお、図１では、ステータ２および磁気軸受４の構成を模式的に示しており、コイルボビンなどの一部の部品については図示を省略している。ステータ２および電磁石ユニット２０Ａ、２０Ｂは、ステータケース１３の内側に固定され、図示しないポッティング樹脂によりモールドされている。本形態のモータ１は、ステータ２のコイル数が６であり、ロータ３の外周面に設けられた図示しないマグネットの磁極数は４である。なお、コイル数およびマグネットの磁極数は上記の数に限定されるものではなく、他の数であってもよい。
【００２５】
（電磁石ユニット）
出力側Ｌ１の電磁石ユニット２０Ａは環状であり、ロータ３の外周側に配置される。電磁石ユニット２０Ａは、磁力によってロータ３を非接触で支持する電磁石４０Ａと、ロータ３の軸線方向Ｌと直交する方向の位置を検出するセンサ５０と、電磁石４０Ａとセンサ５０との間に配置される環状の磁気シールド６０を備える。センサ５０は、電磁石４０Ａに対してステータ２とは軸線方向Ｌで反対側に配置される。
【００２６】
図３は電磁石ユニット２０Ａの分解斜視図であり、図４は電磁石４０Ａと磁気シールド６０の分解斜視図である。電磁石４０Ａは、環状のコア４１と、コア４１の内周面から突出する突極４２に取り付けられるコイルボビン４３と、コイルボビン４３を介して突極４２に巻かれたコイル４４を備える。電磁石４０Ａは、等角度間隔で配置された８本の突極４２を備えており、コイル４４の数は８である。電磁石４０Ａは、周方向で隣り合う２個のコイル４４Ａ、４４Ｂの組を４組備える。周方向で隣り合う２個のコイル４４Ａ、４４Ｂは、巻線の巻回方向が互いに逆向きであり、異なる極性の磁極が対になっている。４組のコイル４４Ａ、４４Ｂのうちの２組は、軸線方向Ｌと直交するＸ軸上でロータ３を挟んで対向して配置される。また、他の２組は、軸線方向ＬおよびＸ軸方向と直交するＹ軸上でロータ３を挟んで対向して配置される。
【００２７】
センサ５０は、環状のセンサコア５１と、センサコア５１の内周面から内周側に向かって突出する突極５２に取り付けられるコイルボビン５３と、コイルボビン５３を介して突極５２に巻かれたセンサコイル５４と、環状のセンサ基板５５を備える。センサ基板５５は、センサコア５１およびセンサコイル５４に対して電磁石４０Ａが位置する側に配置され、コイルボビン５３に固定される。センサ５０は、周方向で隣り合う２個のセンサコイル５４Ａ、５４Ｂの組を４組備える。４組のセンサコイル５４Ａ、５４Ｂは、９０°の角度間隔で４箇所に配置されている。各組のセンサコイル５４Ａ、５４Ｂは、Ｘ軸方向およびＹ軸方向に対して４５°傾いた角度位置を中心として周方向に対称に配置される。
【００２８】
センサ５０は、センサコイル５４Ａ、５４Ｂに流れる電流の差分に基づいてロータ３の位置を検出する渦電流センサである。すなわち、センサ５０はロータ３の変位を検出する変位センサである。センサ５０の信号は、軸方向センサ２１の信号と同様に、図示しない制御装置へ送信される。制御装置は、ロータ３のＸ軸方向の位置およびＹ軸方向の位置に基づいて電磁石４０Ａのコイル４４に通電して、電磁石４０Ａの位置におけるロータ３の
軸線方向Ｌと直交する方向の位置を調節する。すなわち、Ｘ軸上でロータ３を挟んで対向するコイル４４への通電を制御することにより、ロータ３のＸ軸方向の位置を調節する。また、Ｙ軸上でロータ３を挟んで対向するコイル４４への通電を制御することにより、ロータ３のＹ軸方向の位置を調節する。
【００２９】
反出力側Ｌ２の電磁石ユニット２０Ｂは、ロータ３を非接触で支持する電磁石４０Ｂと、ロータ３の径方向の位置を検出するセンサ５０と、電磁石４０Ｂとセンサ５０との間に配置される磁気シールド６０を備える。電磁石ユニット２０Ｂは、電磁石４０Ａの軸線方向Ｌのサイズが電磁石４０Ｂより長く、且つ、軸線方向Ｌで逆向きに配置されていることを除き、電磁石ユニット２０Ａと同一の構成である。ロータ３は、電磁石ユニット２０Ａ、２０Ｂにより、ステータ２の出力側Ｌ１と反出力側Ｌ２の２箇所において非接触で支持される。制御装置は、電磁石４０Ａ、４０Ｂの位置におけるロータ３の軸線方向Ｌと直交する方向の位置を制御することにより、ロータ３の傾きを調節する。
【００３０】
（磁気シールド）
図５は電磁石４０Ａと磁気シールド６０の部分断面図であり、図３のＡ−Ａ位置の断面図である。磁気シールド６０は、電磁石４０Ａとセンサ５０との間に配置され、軸線方向Ｌでセンサ５０および電磁石４０Ａと対向する。図３、図４に示すように、磁気シールド６０は環状であり、電磁石４０Ａのコイル４４を軸線方向Ｌから見て覆うように配置されている。磁気シールド６０は、環状の積層鋼板の出力側Ｌ１の表面および反出力側Ｌ２の表面を絶縁シートで覆った磁気シールド板である。
【００３１】
磁気シールド６０は、電磁石４０Ａのコイルボビン４３に固定される。電磁石４０Ａは８個のコイルボビン４３を備えており、各コイルボビン４３は、磁気シールド６０に出力側Ｌ１から接触する第１接触部と、磁気シールド６０に反出力側Ｌ２から接触する第２接触部を備える。第１接触部は、後述する係止部４８に設けられ、第２接触部は後述するフランジ４３２に設けられる。磁気シールド６０は、等角度間隔で８箇所に設けられた第１接触部および第２接触部によって軸線方向Ｌの両側から挟まれて、コイルボビン４３に固定される。
【００３２】
図６、図７はコイルボビン４３の斜視図である。コイルボビン４３は、突極４２に取り付けられる筒状の胴部４３１と、胴部４３１の一方側の端部に設けられたフランジ４３２と、胴部４３１の他方側の端部に設けられたフランジ４３３と、フランジ４３２に対して胴部４３１とは反対側に設けられたコア覆い部４５１、４５２を備える。胴部４３１はコア４１の径方向に延びており、フランジ４３２は胴部４３１の外周側の端部（センサ５０の外周側）に設けられ、フランジ４３３は胴部４３１の内周側の端部（センサ５０の内周側）に設けられている。胴部４３１にはコイル４４が巻かれている。図４に示すように、コア覆い部４５１はフランジ４３２から外周側へ突出し、コア４１の環状部４１１を出力側Ｌ１から覆っている。また、コア覆い部４５２はコア４１の環状部４１１を反出力側Ｌ２から覆っている。
【００３３】
出力側Ｌ１のコア覆い部４５１は、外周側のフランジ４３２に対して胴部４３１とは反対側に配置される壁部４６と、フランジ４３２と壁部４６とを繋ぐ繋ぎ部４７を備える。胴部４３１は角筒状であり、繋ぎ部４７は胴部４３１の出力側Ｌ１の縁から外周側へ延びている。繋ぎ部４７の外周側の端部は、壁部４６の反出力側Ｌ２の端部と繋がっている。壁部４６は軸線方向Ｌに延びており、壁部４６の出力側Ｌ１の端部は、フランジ４３２の出力側Ｌ１の端部よりも出力側Ｌ１へ突出している。図５に示すように、壁部４６の出力側Ｌ１の端面には、センサ５０と軸線方向Ｌで当接する位置決め部４６１が設けられている。後述するように、センサ５０のコイルボビン５３は、反出力側Ｌ２へ突出する壁部であるボビン側位置規制部５６を備えており、壁部４６の出力側Ｌ１の端面に設けられた位
置決め部４６１は、ボビン側位置規制部５６の反出力側Ｌ２の端面に設けられた位置決め部５６１と軸線方向Ｌに当接する。
【００３４】
コイルボビン４３は、壁部４６からフランジ４３２側へ突出するフック状の係止部４８を備える。図５に示すように、係止部４８は、フランジ４３２の出力側Ｌ１の端面４３４よりも出力側Ｌ１に位置する。磁気シールド６０はフランジ４３２の出力側Ｌ１の端面４３４に載っており、磁気シールド６０の外周側の端部は係止部４８によって出力側Ｌ１から係止されている。すなわち、係止部４８の反出力側Ｌ２の面４８１が磁気シールド６０に出力側Ｌ１から接触する第１接触部であり、フランジ４３２の出力側Ｌ１の端面４３４が磁気シールド６０に反出力側Ｌ２から接触する第２接触部である。
【００３５】
壁部４６は、係止部４８の反出力側Ｌ２を貫通する貫通部４９を備える。貫通部４９は、壁部４６の幅方向の略中央に設けられ、係止部４８と略同一幅で軸線方向Ｌに延びている。貫通部４９は、壁部４６と繋ぎ部４７とが繋がる角部を越えて繋ぎ部４７の途中まで延びている。図７に示すように、磁気シールド６０の外周側の端面は、貫通部４９の周方向の一方側の縁４９１と他方側の縁４９２の２箇所に当接する。すなわち、壁部４６は、磁気シールド６０の外周面に対して径方向に当接する当接部を備えており、当接部は、貫通部４９の周方向の一方側の縁４９１および他方側の縁４９２の２箇所である。
【００３６】
磁気シールド６０を固定するときは、壁部４６を外周側へ倒して係止部４８を外周側へ退避させる。コイルボビン４３は樹脂製であり、壁部４６を外周側へ倒すと、壁部４６とフランジ４３２とを繋ぐ繋ぎ部４７が弾性変形する。フランジ４３２の出力側Ｌ１の端面に磁気シールド６０を載せて壁部４６を内周側へ戻すと、係止部４８によって磁気シールド６０が係止される。壁部４６および繋ぎ部４７には貫通部４９が形成されているため、剛性が低減されており、外周側へ容易に撓むようになっている。係止部４８は、壁部４６および繋ぎ部４７が撓んだ姿勢から元の姿勢に戻る際に発生する弾性復帰力によって、磁気シールド６０に弾性接触する。
【００３７】
係止部４８の出力側Ｌ１の面は、フランジ４３２側へ向かうに従って反出力側Ｌ２へ向かう方向に傾斜する傾斜部４８２を備える。従って、磁気シールド６０の外周縁を傾斜部４８２に載せて反出力側Ｌ２へ押圧すると、８箇所の壁部４６が外周側へ倒れて磁気シールド６０が傾斜部４８２に沿ってスライドし、係止部４８によって磁気シールド６０の外周縁が係止される。よって、磁気シールド６０を簡単に取り付けることができる。
【００３８】
反出力側Ｌ２の電磁石ユニット２０Ｂにおいても、電磁石４０Ｂのコイルボビン４３に磁気シールド６０が固定されている。反出力側Ｌ２の電磁石ユニット２０Ｂにおける磁気シールド６０の固定構造は、出力側Ｌ１の電磁石ユニット２０Ａと同じであるため、説明は省略する。
【００３９】
（センサ基板の固定構造および巻線の接続構造）
図８はセンサ５０の分解斜視図であり、図９はセンサ基板５５の側から見たセンサ５０の底面図である。図８に示すように、センサコイル５４が巻かれているコイルボビン５３の外周側の端部には、センサ基板５５が位置する側へ突出するボビン側位置規制部５６が設けられている。ボビン側位置規制部５６は周方向の幅が一定の壁部であり、反出力側Ｌ２へ向かって突出する。上記のように、ボビン側位置規制部５６の反出力側Ｌ２の端面は、電磁石４０Ａのコイルボビン４３に設けられた位置決め部４６１と軸線方向Ｌに当接する位置決め部５６１である（図５参照）。センサ５０は、コイルボビン４３の位置決め部４６１と、コイルボビン５３の位置決め部５６１とが軸線方向Ｌに当接することによって軸線方向Ｌで位置決めされる。
【００４０】
図８に示すように、センサ基板５５は、配線パターンおよびランドが形成された環状部５５１と、環状部５５１の外周縁から径方向外側へ突出した突出部５５２を備える。周方向で隣り合う突出部５５２の間は、センサ基板５５の外周側の端部５５４を径方向内側へ向かって切り欠いた凹部である。この凹部は、コイルボビン５３に設けられたボビン側位置規制部５６の先端部と嵌合する基板側位置規制部５７である。ボビン側位置規制部５６は、基板側位置規制部５７を介してセンサ基板５５の周方向の移動を規制する。
【００４１】
ボビン側位置規制部５６は、各コイルボビン５３にそれぞれ１箇所ずつ設けられている。本形態では、周方向で隣り合う２個のセンサコイル５４Ａ、５４Ｂの組が９０°の角度間隔で４組設けられている。従って、周方向で隣り合う２箇所のボビン側位置規制部５６の組が９０°の角度間隔で４箇所に設けられている。センサ基板５５には、ボビン側位置規制部５６の配置に対応するように、周方向で隣り合う２箇所の基板側位置規制部５７が９０°の角度間隔で４組形成されている。
【００４２】
センサ基板５５には、各センサコイル５４から引き出された巻線５４１（図９〜図１１参照）が半田付けされる。各センサコイル５４からは、巻き始め側の巻線５４１と、巻き終り側の巻線５４１の２本が引き出される。巻線５４１は、各ボビン側位置規制部５６の周方向の両側からそれぞれ１本ずつ外周側へ引き出される。巻線５４１は、センサ基板５５の外周側の端部５５４を経由して、センサ基板５５の反出力側Ｌ２の基板面５５３へ引き回され、図示しないランドに半田付けされる。センサ基板５５の外周側の端部５５４には、巻線５４１の周方向の移動を規制する巻線保持部５８が設けられている。巻線５４１は、巻線保持部５８を経由して基板面５５３のランドへ延びている。
【００４３】
巻線保持部５８はセンサ基板５５の外周側の端面５５５に設けられた溝であり、基板側位置規制部５７の周方向の両側にそれぞれ１箇所ずつ設けられている。巻線保持部５８は、突出部５５２の径方向の先端面を内周側へ円弧状に窪ませた溝であり、センサ基板５５の出力側Ｌ１の基板面から反出力側Ｌ２の基板面まで軸線方向Ｌに延びている。図９に示すように、巻線５４１は、巻線保持部５８に掛けられてセンサ基板５５の出力側Ｌ１から反出力側Ｌ２へ引き回され、反出力側Ｌ２の基板面に沿ってセンサ基板５５の内周側へ引き回される。
【００４４】
図１０はコイルボビン５３およびセンサコア５１の部分拡大図である。また、図１１はセンサ５０の部分拡大図であり、コイルボビン５３にセンサ基板５５を固定した状態を示す。図１０、図１１は、反出力側Ｌ２から見た斜視図である。図１０に示すように、コイルボビン５３は、センサコア５１の突極５２に取り付けられる筒状の胴部５３１と、胴部５３１の一方側の端部に設けられたフランジ５３２と、胴部５３１の他方側の端部に設けられたフランジ５３３と、繋ぎ部５３４を介してフランジ５３２と繋がるボビン側位置規制部５６を備える。胴部５３１は径方向に延びており、フランジ５３２は胴部５３１の外周側の端部に設けられている。繋ぎ部５３４は、センサコア５１の環状部５１１を反出力側Ｌ２から覆っている。フランジ５３２の反出力側Ｌ２の端部は、ボビン側位置規制部５６の反出力側Ｌ２の端部より出力側Ｌ１に位置する。
【００４５】
コイルボビン５３のフランジ５３２は、胴部５３１とは反対側（すなわち、外周側）へ引き出される巻線５４１が配置される巻線引き出し部５３５を備える。巻線引き出し部５３５は、フランジ５３２の反出力側Ｌ２の縁を切り欠いた切り欠き部である。巻線引き出し部５３５は、フランジ５３２の周方向の両端寄りの２箇所に形成されている。フランジ５３２は、外周側から見てボビン側位置規制部５６の周方向の両側まで延びており、ボビン側位置規制部５６の周方向の両側に１箇所ずつ巻線引き出し部５３５が設けられている。従って、巻き始め側と巻き終り側の２本の巻線５４１は、巻線引き出し部５３５からボビン側位置規制部５６の周方向の両側へ引き出される。
【００４６】
図１１に示すように、センサ基板５５には、センサ基板５５の外周側の端部５５４を切り欠いた凹部である基板側位置規制部５７が設けられ、基板側位置規制部５７の周方向の両側に１箇所ずつ巻線保持部５８が設けられている。従って、基板側位置規制部５７にボビン側位置規制部５６を嵌合させると、ボビン側位置規制部５６の周方向の両側には、巻線引き出し部５３５および巻線保持部５８がそれぞれ１箇所ずつ設けられる。本形態では、ボビン側位置規制部５６の周方向の両側において、巻線引き出し部５３５と巻線保持部５８の周方向の位置は略同一である。従って、巻線引き出し部５３５から引き出した巻線５４１が巻線保持部５８を経由して基板面５５３へ引き回される際の巻き線５４１の経路長を短くすることができる。
【００４７】
図１０に示すように、ボビン５３の外周側の端部において、フランジ５３２、繋ぎ部５３４、およびボビン側位置規制部５６は、センサ基板５５の側へ開口する凹溝５９を形成している。センサ基板５５は、フランジ５３２の反出力側Ｌ２の端面に当接することによってコイルボビン５３に対して軸線方向Ｌに位置決めされ、凹溝５９に配置される接着剤によってコイルボビン５３に固定される。繋ぎ部５３４は、フランジ５３２の周方向の幅と略同一幅に形成され、ボビン側位置規制部５６の周方向の両側まで拡がっている。従って、ボビン側位置規制部５６とフランジ５３２との間に配置された接着剤がコイルボビン５３とコア５１との隙間へ流出することが抑制される。
【００４８】
（本形態の主な作用効果）
以上説明したように、本形態の真空ポンプ１００は、回転翼１１を回転させるためのモータ１を備える。モータ１は、ロータ３およびステータ２と、磁力によってロータ３を非接触で支持する磁気軸受４を備える。磁気軸受４は、ステータ２の出力側Ｌ１に配置される電磁石ユニット２０Ａと、ステータ２の反出力側Ｌ２に配置される電磁石ユニット２０Ｂを備えており、ステータ２の出力側Ｌ１と反出力側Ｌ２の２箇所においてロータ３を非接触で支持する。電磁石ユニット２０Ａ、２０Ｂは、ロータ３の位置を検出するセンサ５０を備える。センサ５０は、センサコア５１と、コイルボビン５３を介してセンサコア５１に巻かれたセンサコイル５４と、センサコイル５４から引き出された巻線５４１が半田付けされるセンサ基板５５と、を有しており、巻線５４１は、センサ基板５５の端部５５４に設けられた巻線保持部５８を経由してセンサ基板５５のランドへ引き回される。このように、センサ基板５５の端部５５４に巻線保持部５８を設けることによって、センサ基板５５の端部５５４を経由してランドへ引き回した巻線５４１がセンサ基板５５の端部５５４に沿って移動することを抑制できる。これにより、半田付け時に巻線５４１が動くことを抑制でき、巻線５４１をランドに半田付けする際の作業性が低下することを抑制できる。
【００４９】
本形態の巻線保持部５８は、センサ基板５５の端面５５５に設けられた溝である。従って、巻線５４１をランドの側へ引き回す際に、溝の位置に巻線５４１を掛けるだけで容易に巻線５４１を保持させることができる。また、巻線５４１の位置決めが容易であるため、巻線５４１をセンサ基板５５に接続する作業の作業時間を短縮できる。
【００５０】
本形態のコイルボビン５３は、センサ基板５５に形成された基板側位置規制部５７を介してセンサ基板５５の移動を規制するボビン側位置規制部５６を備えている。従って、センサコイル５４に対するセンサ基板５５の相対移動を規制できるため、巻線５４１が動くことを抑制できる。よって、巻線５４１の損傷を抑制できる。また、コイルボビンに対してセンサ基板を固定するので、センサ基板の固定用の部材を別途設ける必要がない。従って、部品点数の増加を抑制できる。
【００５１】
本形態では、センサ基板５５が円環状であり、基板側位置規制部５７はセンサ基板５５
の外周縁に設けられ、基板側位置規制部５７とボビン側位置規制部５６によって、コイルボビン５３に対するセンサ基板５５の周方向の相対移動が規制される。従って、センサ基板５５の外周縁に巻線５４１を掛けて内周側のランドまで引き回す際に、センサ基板５５の外周縁に沿って巻線５４１が移動するおそれを少なくすることができる。
【００５２】
本形態のコイルボビン５３は、センサコイル５４が巻かれる胴部５３１と、胴部５３１の端部に設けられたフランジ５３２とを備え、フランジ５３２は、胴部５３１とは反対側へ引き出される巻線５４１が配置される巻線引き出し部５８を備えている。従って、センサコイル５４と巻線保持部５８との間において、巻線引き出し部５８によって巻線５４１を保持できる。従って、巻線保持部５８から巻線５４１が外れるおそれが少ないので、巻線５４１の損傷を抑制できる。
【００５３】
本形態のコイルボビン５３は、外周側のフランジ５３２と、フランジ５３２に対して胴部５３１とは反対側に配置されるボビン側位置規制部５６とが繋ぎ部５４を介して繋がっており、フランジ５３２とボビン側位置規制部５６との間にセンサ基板５５を固定するための接着剤が配置される。従って、繋ぎ部５３４およびボビン側位置規制部５６によって接着剤の流出を規制できるため、センサ基板５５の固定強度を向上させることができる。
【００５４】
本形態では、センサ基板５５の端部５５４を切り欠いた凹部が基板側位置規制部５７であり、ボビン側位置規制部５６は、繋ぎ部５３４から反出力側Ｌ２（センサ基板５５の側）へ突出する壁部である。コイルボビン５３は、フランジ５３２の反出力側Ｌ２の端部がボビン側位置規制部５６のセンサ基板５５側の端部より低い位置（すなわち、出力側Ｌ１）にあるため、フランジ５３２の反出力側Ｌ２の端部にセンサ基板５５を当接させてセンサ基板５５の軸線方向Ｌの位置決めを行うことができる。また、このとき、凹部（基板側位置規制部５７）と壁部（ボビン側位置規制部５６）の先端部とを嵌合させてセンサ基板５５の周方向の移動を規制することができる。
【００５５】
本形態において、コイルボビン５３の巻線引き出し部５３５は、ボビン側位置規制部５６（壁部）の幅方向の両側に設けられ、センサ基板５５の巻線保持部５８は、基板側位置規制部５７（凹部）の幅方向の両側に設けられている。従って、ボビン側位置規制部５６の両側に巻き始め用の巻線５４１と巻き終り用の巻線５４１を引き出すことができる。また、各巻線５４１の引き出し位置の近傍に巻線保持部５８を設けることができる。従って、巻線５４１を引き回す長さを短くすることができ、巻線５４１が移動するおそれを少なくすることができる。
【００５６】
（変形例）
（１）図１２は、磁気シールド６０の配置を示す説明図である。図１２（ａ）は上記形態の磁気シールド６０の配置を模式的に示しており、センサ５０と電磁石４０Ａとの間に磁気シールド６０が配置される。図１２（ａ）の配置では、上記形態のように、電磁石４０Ａのコイルボビン４３に磁気シールド６０を固定する。あるいは、センサ５０のコイルボビン５３に磁気シールド６０を固定することもできる。センサ５０のコイルボビン５３に磁気シールド６０を固定する場合には、センサ基板５５をセンサコイル５４に対して磁気シールド６０とは反対側に配置することもできる。
【００５７】
モータ１は、図１２（ｂ）〜（ｃ）に示すように、電磁石４０Ａとセンサ５０の位置を入れ換えた構成を採用することもできる。この場合には、センサ５０の軸線方向Ｌの両側に磁束発生源が配置される。すなわち、センサ５０の出力側Ｌ１に電磁石４０Ａのコイル４４が配置され、センサ５０の反出力側Ｌ２にステータ２のコイル２７が配置される。従って、センサ５０と電磁石４０Ａとの間、および、センサ５０とステータ２との間の２箇所のうち、少なくとも一方の位置に磁気シールド６０を配置することが好ましい。
【００５８】
例えば、図１２（ｂ）に示すように、センサ５０と電磁石４０Ａとの間に磁気シールド６０を配置することによって、電磁石４０Ａのコイル４４で発生する磁束の影響を低減させることができる。この場合には、電磁石４０Ａのコイルボビン４３、および、センサ５０のコイルボビン５３のいずれかに磁気シールド６０を固定する。また、図１２（ｃ）に示すように、センサ５０とステータ２との間に磁気シールド６０を配置することによって、ステータ２のコイル２７で発生する磁束の影響を低減させることができる。この場合には、ステータ２のコイルボビン２６、および、センサ５０のコイルボビン５３のいずれかに磁気シールド６０を固定する。あるいは、図１２（ｄ）に示すように、センサ５０と電磁石４０Ａとの間、および、センサ５０とステータ２との間の２箇所にそれぞれ磁気シールド６０を配置してもよい。いずれの構成においても、磁気シールド６０によってセンサ５０に対する磁束の影響を低減させることができる。また、磁気シールド６０をコイルボビンに固定することによって、部品点数の増大、およびステータユニット２Ａの大型化を抑制できる。
【００５９】
（２）上記形態では、ボビン側位置規制部５６がコイルボビン５３に形成された壁部であり、基板側位置規制部５７がセンサ基板５５に形成された凹部であったが、ボビン側位置規制部５６と基板側位置規制部５７は、上記と異なる形態であってもよい。例えば、基板側位置規制部５７は、凹部でなく穴であってもよい。また、ボビン側位置規制部５６が壁部の先端面に形成された凹部であり、基板側位置規制部５７はセンサ基板５５の外周縁から突出する突出部であってもよい。また、ボビン側位置規制部５６をフランジ４３２の出力側Ｌ１の端面に形成することができる。
【００６０】
（３）上記形態では、巻線保持部５８はセンサ基板５５の端面に形成された円弧状の溝であったが、巻線保持部は円弧状以外の形状の切り欠きでもよい。また、巻線保持部は、センサ基板５５の端部５５４に設けられた突起でもよい。例えば、センサ基板５５の端部５５４にピンを取り付けて、巻線５４１をピンに掛けて保持させてもよい。もしくは、ピンを２本設けて、２本のピンの間に巻線５４１を保持させてもよい。この場合に、ピンの突出方向は、軸線方向Ｌであってもよいし、径方向であっても良い。このような構成であっても、巻線保持部に巻線５４１を掛けるだけで容易に巻線５４１を保持させることができ、巻線５４１が動くことを抑制できる。
【００６１】
（４）上記形態では、巻線保持部５８はセンサ基板５５の外周側の端部５５４に設けられているが、センサ基板５５の内周側の端部に同様の巻線保持部を設け、巻線５４１をセンサ基板５５の内周側へ引き出し、センサ基板５５の内周側の端部に掛けてランドへ引き回すこともできる。また、上記形態は、本発明を環状のセンサ基板５５を備えたセンサ５０に適用するものであったが、本発明は、センサ基板５５が環状でない場合においても適用可能である。すなわち、本発明は、センサコイルの巻線がセンサ基板の端部に掛けられてランドへ引き回される形態に適用可能である。
【符号の説明】
【００６２】
１…モータ、２…ステータ、２Ａ…ステータユニット、３…ロータ、４…磁気軸受、５…ロータフランジ、１０…ケース、１１…回転翼、１２…固定翼、１３…ステータケース、１４…ベース、１５…筒状ケース、１６…吸気口、１７…排気口形成部、１８…排気口、２０Ａ、２０Ｂ…電磁石ユニット、２１…軸方向センサ、２２…電磁石、２３…コイル、２４…ステータコア、２５…突極、２６…コイルボビン、２７…コイル、３１…出力軸、３２…金属板、４０Ａ、４０Ｂ…電磁石、４１…コア、４２…突極、４３…コイルボビン、４４、４４Ａ、４４Ｂ…コイル、４６…壁部、４７…繋ぎ部、４８…係止部、４９…貫通部、５０…センサ、５１…センサコア、５２…突極、５３…コイルボビン、５４、５４Ａ、５４Ｂ…センサコイル、５５…センサ基板、５６…ボビン側位置規制部、５７…基板
側位置規制部、５８…巻線保持部、５９…凹溝、６０…磁気シールド、１００…真空ポンプ、４１１…環状部、４３１…胴部、４３２、４３３…フランジ、４３４…フランジ出力側の端面、４５１、４５２…コア覆い部、４６１…位置決め部、４８１…係止部の反出力側の面、４８２…傾斜部、４９１…貫通部の周方向の一方側の縁、４９２…貫通部の周方向の他方側の縁、５１１…環状部、５３１…胴部、５３２、５３３…フランジ、５３４…繋ぎ部、５３５…巻線引き出し部、５４１…巻線、５５１…環状部、５５２…突出部、５５３…基板面、５５４…センサ基板の外周側の端部、５５５…センサ基板の外周側の端面、５６１…位置決め部、Ｌ…軸線方向、Ｌ１…出力側、Ｌ２…反出力側
【図１】
2020028167.tif 000003
【図２】
2020028167.tif 000004
【図３】
2020028167.tif 000005
【図４】
2020028167.tif 000006
【図５】
2020028167.tif 000007
【図６】
2020028167.tif 000008
【図７】
2020028167.tif 000009
【図８】
2020028167.tif 000010
【図９】
2020028167.tif 000011
【図１０】
2020028167.tif 000012
【図１１】
2020028167.tif 000013
【図１２】
2020028167.tif 000014